(57)【要約】【課題】  指圧力の微妙なコントロールを可能とし、指圧時の手や指の疲労を少なくし、小型で携帯可能とした指圧器具を提供する。【解決手段】  平板状の素材で握り部と刺激力の異なる複数の突出部を有し、これ等の突出部は、第１の突出部と第２の突出部で構成され、各々の突出部は、各々の突出部と握り部の外縁が交わる部分で形成された楔状の稜線部に親指の手の平の付け根部を当て握り部を握った状態で人差し指を伸ばした方向に突出し、その全長は、この状態で人差し指が概略届く範囲の長さとし、第１の突出部は、平板状の側面に沿って先端に行くに従い厚さを薄くし、第２の突出部は、円錐状又は多角錐状で先細りとした構造。【選択図】図１
2010104743.tif 000002
【特許請求の範囲】
【請求項１】
平板状の素材で握り部と刺激力の異なる複数の突出部を有し、これ等の突出部は、第１の突出部と第２の突出部で構成され、第１の突出部は、第２の突出部外縁と握り部外縁とが交わる部分で形成された第１の楔状の稜線に親指の手の平の付け根部を当て握り部を握った状態で人差し指を伸ばした方向に突出し、平板状の側面に沿って先端に行くに従い厚さを薄くし、その全長は、この状態で人差し指が概略届く範囲の長さとし、第２の突出部は、前記の握り方で親指の付け根側に位置し、この突出部の先端は、手首側に傾斜し、前記の握り方と相対する方向にある第１の突出部外縁と握り部外縁とが交わる部分で形成された第２の楔状の稜線に親指の手の平の付け根部を当て握り部を握った状態で人差し指を伸ばした方向に突出し、根元から先端部に向かい円錐状又は多角錐状の先細りとし、その全長は、この状態で人差し指が概略届く範囲の長さとした指圧器具。
【請求項２】
突出部の一部又は全てを握り部から分割し、この分割面に対し略直角方向に支軸を設け、分割された突出部が支軸を中心軸とし回転可能な状態で握り部に固定された請求項１の指圧器具。
【請求項３】
握り部から分割し回転可能とした突出部の分割面に小穴を設け、この小穴の開口部を突出部の回転により開閉可能とした請求項１、及び請求項２の指圧器具。
【請求項４】
突出部の先端付近に、窪み又は穴を設けた請求項１、請求項２、及び請求項３の指圧器具。
【発明の詳細な説明】
【技術分野】
【０００１】  この発明は、人力による指圧器具に関するものである。
【背景技術】
【０００２】  従来の人力による指圧器具は、自らの手が届きにくい部位、力の入りにくい部位に対応する指圧器具と、自らの自重により患部を刺激する指圧器具があった。
【発明の開示】
【発明が解決しようとする課題】
【０００３】  これは、次のような欠点があった。
何れも大きく指圧力の微妙なコントロールが出来にくく、携帯用として不適であり、形状も固定化しており患部への刺激力の選択も制限があった。
【課題を解決するための手段】
【０００４】  上記課題を解決するために、請求項１に記載の指圧器具は、平板状の素材で握り部と刺激力の異なる複数の突出部を有し、これ等の突出部は、第１の突出部と第２の突出部で構成され、第１の突出部は、第２の突出部外縁と握り部外縁とが交わる部分で形成された第１の楔状の稜線に親指の手の平の付け根部を当て握り部を握った状態で人差し指を伸ばした方向に突出し、平板状の素材の側面に沿って先端に行くに従い厚さを薄くし、その全長は、この状態で人差し指が概略届く範囲の長さとし、第２の突出部は、前記の握り方で親指の付け根側に位置し、この突出部の先端は、手首側に傾斜し、前記の握り方と相対する方向にある第１の突出部外縁と握り部外縁とが交わる部分で形成された第２の楔状の稜線に親指の手の平の付け根部を当て握り部を握った状態で人差し指を伸ばした方向に突出し、根元部から先端部に向かい円錐状又は多角錐状の先細りとし、その全長は、この状態で人差し指が概略届く範囲の長さであることを特徴としている。【０００５】  請求項２に記載の指圧器具は、突出部の一部又は全てを握り部から分割し、この分割面に対し略直角方向に支軸を設け、分割された突出部が支軸を中心軸とし回転可能な状態で握り部に固定されたことを特徴としている。【０００６】  請求項３に記載の指圧器具は、握り部から分割し回転可能とした突出部の分割面に小穴を設け、この小穴の開口部を突出部の回転により開閉可能としたことを特徴としている。【０００７】  請求項４に記載の指圧器具は、突出部の先端付近に、窪み又は穴を設けたことを特徴としている。
【発明の効果】
【０００８】  請求項１に記載の指圧器具は、平板状の素材で握り部と刺激力の異なる複数の突出部を有し、これ等の突出部は、第１の突出部と第２の突出部で構成され、第１の突出部は、第２の突出部外縁と握り部外縁とが交わる部分で形成された第１の楔状の稜線に親指の手の平の付け根部を当て握り部を握った状態で人差し指を伸ばした方向に突出し、平板状の素材の側面に沿って先端に行くに従い厚さを薄くし、その全長は、この状態で人差し指が概略届く範囲の長さとし、第２の突出部は、前記の握り方で親指の付け根側に位置し、この突出部の先端は、手首側に傾斜し、前記の握り方と相対する方向にある第１の突出部外縁と握り部外縁とが交わる部分で形成された第２の楔状の稜線に親指の手の平の付け根部を当て握り部を握った状態で人差し指を伸ばした方向に突出し、根元部から先端部に向かい円錐状又は多角錐状の先細りとし、その全長は、この状態で人差し指が概略届く範囲の長さとしたことから、各々の突出部先端の形状が異なり、指圧患部に与える刺激力は、指先による指圧力が同一であっても刺激力が相違し、各々の突出部先端は、握り部から指先が概略届く範囲にあり、更に、先端部に行くに従い厚さを薄く又は先端を細くしてあることから、指先に近接した部分で患部を刺激することができ、指先の感覚を生かした指圧力の微妙なコントロールが可能となり、特に顔面部の目じり、瞼、こめかみ、耳穴、頭部等の外部刺激に敏感な患部に安心感を持って刺激を与えることができると共に、楔状の稜線に親指の手の平の付け根部を当て握り部を握ることから、指圧器具を握った状態の安定性も高く手や指の疲労を少なくでき、また、平板状で薄く小型なことから携帯も容易である。【０００９】  請求項２に記載の発明によれば、突出部の一部又は全てを握り部から分割し、この分割面に対し略直角方向に支軸を設け、分割された突出部が支軸を中心軸とし回転可能な状態で握り部に固定されることから、第２の突出部、及び第１の突出部の先端を支軸の中心軸から非対称とし、各々の突出部を支軸を中心軸として回転させると、握り部と各々の突出部先端の相対位置が変化し、請求項１に対し更に変化に富んだ刺激手段と刺激力の選択可能となる。
また、平板状の素材の材質を木材とした場合、突出部の一部又は全てを握り部から分割することによって、各々の突出部の突出方向に合わせた木目を選択することが可能となり、先端が細く又は厚さを薄くした突出部であっても十分な強度を確保することが可能となる。【００１０】  請求項３に記載の発明によれば、握り部から分割し回転可能とした突出部の分割面に小穴を設け、この小穴の開口部を突出部の回転により開閉可能としたことから、この小穴に香料を納め、小穴の開閉量を調整し香料の揮発量を調整し、指圧をしながら香りも楽しむことが可能となる。【００１１】  請求項４に記載の発明によれば、突出部の先端付近に、窪み又は穴を設けたことにより、この部分に指先を当てることによって、請求項１、及び請求項２に対し、更に、指先の感触が研ぎ澄まされ、外部刺激に敏感な患部に対し微妙な指圧力コントロールが可能となる。
【発明を実施するための最良の形態】
【００１２】  以下、本発明の指圧器具をいくつかの図面を参照し説明する。
図１は、本発明の請求項１における実施例の側面図であり、第２の突出部（３）の先端が握り部（１）を握った状態で手首側に傾斜し、第２の突出部（３）の外縁と握り部（１）の外縁とが交わる部分で形成された第１の楔状の稜線（４）に親指の手の平の付け根部を当て握り部（１）を握り、人差し指を伸ばした方向に第１の突出部（２）が突出し、その全長が人差し指が概略届く範囲の長さであることを示した実施例である。【００１３】  図２は、図１に対し握り方を変えた側面図であり、第１の突出部（２）の外縁と握り（１）の外縁とが交わる部分で形成された第２の楔状の稜線（５）に親指の手の平の付け根部を当て握り部（１）を握った状態で、第２の突出部（３）が、人差し指を伸ばした方向に突出し、その全長が人差し指が概略届く範囲の長さであることを示した実施例である。【００１４】  図３は、図１の上面図であり、第２の突出部（３）は、根元から先端に向かい円錐状で先細りであることを示し、第１の突出部（２）は、平板状の素材の側面に沿って先端に行くに従い厚さを薄くしていることを示す実施例である。【００１５】  図４は、本発明の請求項２における実施例の側面部分断面図であり、第２の突出部（３）を第１の突出部（２）と一体となった握り部（１）から第１の分割面（８）で分割し、この第１の分割面（８）に対し略直角方向に第１の支軸（６）を設け、分割された第２の突出部（３）は、第１の支軸（６）の中心線（１２）を中心軸として回転させることが可能であり、第１の支軸（６）がネジで構成されていることから、第２の突出部（３）の回転と固定力は、ネジの締め付け力により選択ができ、第２の突出部（３）の先端は、中心線（１２）に対し変位量（１３）が設けてあり、第２の突出部（３）を回転させることにより握り部（１）に相対する第２の突出部（３）の先端が点線に示す位置に変わることを示した実施例である。【００１６】  図５は、本発明の請求項３、乃至は請求項４における実施例の側面部分断面図であり、第２の突出部（３）、第１の突出部（２）及び握り部（１）が第１の分割面（８）及び第２の分割面（９）で分割され、各々の突出部は、各々の分割面に対し略直角方向に設けられた第１の支軸（６）及び第２の支軸（７）によりネジ止め固定されており、第１の分割面（８）の下方に本発明の請求項３の小穴（１０）が設けられ、第１の突出部（２）の先端には、本発明の請求項４の窪み又は穴（１１）が設けられていることを示した実施例である。【００１７】  図６は、図５の上面図であり、第２の突出部（３）を回転させ、小穴（１０）を覗いた状態を示す実施例である。
【図面の簡単な説明】
【００１８】
【図１】  本発明の請求項１の側面図である。
【図２】  図１に対し握り方向を変えた状態の側面図である。
【図３】  図１の上面図である。
【図４】  本発明の請求項２の側面部分断面図である。
【図５】  本発明の請求項３、乃至は請求項４の側面部分断面図である。
【図６】  本発明の請求項３の第２の突出部を回転させた状態を示す図５の上面図である。
【符号の説明】
【００１９】  １    握り部
２    第１の突出部
３    第２の突出部
４    第１の楔状の稜線
５    第２の楔状の稜線
６    第１の支軸
７    第２の支軸
８    第１の分割面
９    第２の分割面
１０  小穴
１１  窪み又は穴
１２  中心線
１３  変位量
【図１】
2010104743.tif 000003
【図２】
2010104743.tif 000004
【図３】
2010104743.tif 000005
【図４】
2010104743.tif 000006
【図５】
2010104743.tif 000007
【図６】
2010104743.tif 000008